(57)【要約】【課題】予め貯留されている景品を払い出す新たな仕掛けを提案すること。【解決手段】遊戯装置に設置される景品払出装置１００は、リアバケット１３０とフロントバケット１４０とが水平軸によって同軸で軸支されているとともに、リアバケット１３０に載置されている景品の滑落を堰き止めるよう、フロントバケット１４０がトリガ１５０により係止されて構成されている。トリガ１５０には、他端が固定テーブル３１上の錘部材１６０に結び付けらている吊下げ紐１６１の一端が結び付けられている。そして、固定テーブル３１上から錘部材１６０が落下すると、錘部材１６０の自重によりトリガ１５０による係止が解除されて、フロントバケット１４０が下方に軸回転し、リアバケット１３０に載置され、フロントバケット１４０により堰き止められていた景品が滑落して払い出される。【選択図】図２
2008093242.tif 000002
【特許請求の範囲】
【請求項１】
傾斜面を有する傾斜面部と、
所定の堰き止め状態で係止されることで、前記傾斜面に載置された景品を堰き止める堰き止め部と、
前記堰き止め部を前記堰き止め状態に係止する係止部と、
を備え、前記係止部による係止を解除することで前記堰き止め部により堰き止められていた景品を滑落させて払い出す景品払出装置。
【請求項２】
前記傾斜面部は、自重又は所定の付勢力により所定の定常位置に帰着するよう上下に可動可能に支持されており、
前記係止部は、自重又は所定の付勢力による前記堰き止め状態から解放時状態への前記堰き止め部の変位を係止し、
前記堰き止め部が前記堰き止め状態から前記解放時状態へ変位した際の前記堰き止め部の運動エネルギーを前記傾斜面部に伝達して前記傾斜面部を上下に回動させる力伝達部を更に備えた請求項１に記載の景品払出装置。
【請求項３】
前記力伝達部は前記傾斜面部と一体に設けられている請求項２に記載の景品払出装置。
【請求項４】
前記傾斜面の上方で前記堰き止め部を軸支し、軸方向が前記傾斜面を横断する方向の軸部を更に備え、
前記堰き止め状態は、前記軸部を中心に前記堰き止め部を所定の高揚位置に軸回転させて前記係止部に係止させた状態であり、
前記係止部の係止の解除により、前記堰き止め部が下方に軸回転して前記傾斜面部の背後に収まる請求項１〜３の何れか一項に記載の景品払出装置。
【請求項５】
前記傾斜面部及び前記堰き止め部を前記傾斜面の上方で同軸で軸支し、軸方向が前記傾斜面を横断する方向の軸部を更に備え、
前記堰き止め状態は、前記軸部を中心に前記堰き止め部を所定の高揚位置に軸回転させて前記係止部に係止させた状態であり、
前記係止部の係止の解除により、前記堰き止め部が下方に軸回転して前記傾斜面部の背後に収まるとともに、前記力伝達部により伝達された力によって前記傾斜面部が前記軸部を中心に軸回転する請求項２又は３に記載の景品払出装置。
【請求項６】
前記軸部を中心として、前記高揚位置に軸回転された前記堰き止め部を下方へ軸回転するよう付勢するとともに、前記定常状態から軸回転しないよう前記傾斜面部を抑える抑止力を与える弾性部材を前記軸部に設けた請求項５に記載の景品払出装置。
【請求項７】
前記堰き止め部の軸支位置は、前記堰き止め部の内側面と前記傾斜面部の下流側端面との間の距離が前記係止部の係止の解除による前記堰き止め部の軸回転に従って漸次長くなる位置に位置決めされている請求項４〜６の何れか一項に記載の景品払出装置。
【請求項８】
前記係止部は、
所定の押し上げ力により押し上げられることで前記堰き止め部と係合可能となる係合部材と、
前記押し上げ力を付与する付勢部材と、
を有し、前記係合可能となった係合部材が前記堰き止め部と係合することで前記堰き止め部の下方への軸回転を係止し、前記付勢部材の前記押し上げ力に対抗する押し下げ力が付与されることによって前記係止が解除される請求項４〜７の何れか一項に記載の景品払出装置。
【請求項９】
前記係止部は、前記押し上げ力により押し上げられる係合部材が前記傾斜面部の背後に収まった際に前記堰き止め部の外側面に当接する位置に位置決めされ、前記堰き止め部が前記高揚位置まで軸回転された時に前記係合部材が前記堰き止め部と係合する請求項８に記載の景品払出装置。
【請求項１０】
固定テーブルから押し出されて景品落下口に落下した景品を払い出すプッシャー型の遊戯装置に、滑落した景品が前記固定テーブル又は前記景品落下口に落下するように設置される請求項１〜９の何れか一項に記載の景品払出装置。
【請求項１１】
前記係止部は、所定の外力によって前記係止を解除する機構を成し、
紐体によって前記係止部に接続され、前記係止部に前記外力を与える錘部材を更に備え、
前記固定テーブル上に前記錘部材が載置され、前記固定テーブルからの前記錘部材の落下による重力が前記係止部に伝達されて前記係止部の係止が解除される請求項１０に記載の景品払出装置。
【請求項１２】
固定テーブルから押し出されて景品落下口に落下した景品を払い出すプッシャー型の遊戯装置であって、
請求項１〜１１の何れか一項に記載の景品払出装置を、滑落した景品が前記固定テーブル上又は前記景品落下口に落下する位置に配設した遊戯装置。
【発明の詳細な説明】
【技術分野】
【０００１】
本発明は、景品を払い出す景品払出装置等に関する。
【背景技術】
【０００２】
遊戯装置の一つとして、プッシャー型の景品払出ゲーム機がある。このプッシャー型の景品払出ゲーム機は、回転するターンテーブル上に配置された景品を掬い上げるショベルと、固定テーブルと、固定テーブル上を景品落下口に近づき或いは遠ざかるように移動するスライドテーブルとを備えている。プレーヤが始動指示を入力すると、ショベルが自動的にターンテーブルから景品を掬い上げ、次いでプレーヤが落下指示を入力すると、ショベルは掬い上げた景品を固定テーブルの上に落下させる。固定テーブルに落された景品は、スライドテーブルによって押されることで玉突き状態となり、やがて固定テーブルから落下する。落下した景品が上手く景品落下口に入れば、プレーヤはその景品を獲得できる構成となっている。こうしたプッシャー型の景品払出ゲーム機は、ルールが解り易く誰でもが楽しめるゲームとして、特に女性や子供に人気がある。
【０００３】
プッシャー型の景品払出ゲーム機の中には、景品落下口近傍の上方に傾き可能に設けられた景品貯留部と、景品貯留部に連結されて固定テーブルに載置される錘部材を設けたものが知られている。具体的には、景品を貯留して景品落下口上方で吊るされたバケツの口と、固定テーブル上の錘部材とを紐で結ぶといった構成である。この場合、錘部材が固定テーブル上の景品と同様にして押されて落下すると、錘部材と連結している貯留部が錘部材の落下によって傾けられ、貯留していた景品が景品落下口に落下する仕組みとなっている。このようにボーナス用の景品を別途貯留し、特定の条件が揃うと払い出す構成とすることで、一度に大量の景品を獲得できるというプレーヤの射幸心を向上させ、ゲームをより面白くすることができる（例えば、特許文献１参照）。
【特許文献１】特開２００１−２９６４４号公報
【発明の開示】
【発明が解決しようとする課題】
【０００４】
しかしながら、このような、特定の条件が達成されると予め貯留していた景品を落下口に落下させて払い出す仕掛けは、ある程度の時間が経つと見慣れたものとなり、その仕掛け自体に飽きが来て遊戯意欲の向上といった当初の目的を達成できなくなるため、常に目新しいものが要求されている。本発明は、上記事情に鑑みてなされたものであり、その目的とするところは、予め貯留されている景品を払い出す新たな仕掛けを提案することである。
【課題を解決するための手段】
【０００５】
上記課題を解決するための第１の発明は、
傾斜面を有する傾斜面部（例えば、図２〜図５のリアバケット１３０）と、
所定の堰き止め状態で係止されることで、前記傾斜面に載置された景品を堰き止める堰き止め部（例えば、図２〜４，図６のフロントバケット１４０）と、
前記堰き止め部を前記堰き止め状態に係止する係止部（例えば、図２〜図４，図７のトリガ１５０）と、
を備え、前記係止部による係止を解除することで前記堰き止め部により堰き止められていた景品を滑落させて払い出す景品払出装置（例えば、図２の景品払出装置１００）である。
【０００６】
この第１の発明によれば、係止部により堰き止め部が堰き止め状態で係止されることで傾斜面部の傾斜面に載置された景品が堰き止められ、この係止部による係止が解除されることで堰き止められていた景品を滑落させて払い出す景品払出装置が実現される。従って、堰き止め部の係止が解除されると、傾斜面部の傾斜面上に載置され、堰き止め部により堰き止められていた景品が滑落して払い出されるといった、新たな景品払出しが実現される。
【０００７】
第２の発明は、第１の発明の景品払出装置であって、
前記傾斜面部は、自重又は所定の付勢力により所定の定常位置に帰着するよう上下に可動可能に支持されており、
前記係止部は、自重又は所定の付勢力による前記堰き止め状態から解放時状態への前記堰き止め部の変位を係止し、
前記堰き止め部が前記堰き止め状態から前記解放時状態へ変位した際の前記堰き止め部の運動エネルギーを前記傾斜面部に伝達して前記傾斜面部を上下に回動させる力伝達部（例えば、図５の凸部１３３、図１４の延出部２４１）を更に備えた景品払出装置である。
【０００８】
この第２の発明によれば、堰き止め部が堰き止め状態から解放時状態へ変位した際の堰き止め部の運動エネルギーが力伝達部により傾斜面部に伝達されることで、傾斜面部が上下に回動される。これにより、景品を滑落させるときに、傾斜面部を上下に回動させることで、傾斜面部との間の摩擦等によって傾斜面部から滑落しないで残っていた景品を確実に滑落させて払い出すことが可能となる。
【０００９】
第３の発明は、第２の発明の景品払出装置であって、
前記力伝達部は前記傾斜面部と一体に設けられている景品払出装置である。
【００１０】
この第３の発明によれば、力伝達部は傾斜面部と一体的に設けられる。これにより、堰き止め部の変位による運動エネルギーを、より確実且つ直接的に傾斜面部に伝達することが可能となる。
【００１１】
第４の発明は、第１〜第３の何れかの発明の景品払出装置であって、
前記傾斜面の上方で前記堰き止め部を軸支し、軸方向が前記傾斜面を横断する方向の軸部（例えば、図３の水平軸ＡＸ１）を更に備え、
前記堰き止め状態は、前記軸部を中心に前記堰き止め部を所定の高揚位置に軸回転させて前記係止部に係止させた状態であり、
前記係止部の係止の解除により、前記堰き止め部が下方に軸回転して前記傾斜面部の背後に収まる景品払出装置である。
【００１２】
この第４の発明によれば、堰き止め部が傾斜面の上方で軸方向が傾斜面を横断する方向の軸部により軸支され、堰き止め状態は、この軸部を中心に堰き止め部を所定の高揚位置に軸回転させて係止させた状態であり、係止部の係止の解除により、堰き止め部が下方に軸回転して傾斜面部の背後に収まる。即ち、景品の払出し時には、係止が解除された堰き止め部が下方に軸回転して傾斜面部の背後に収まり、傾斜面部と堰き止め部とが略一体となった状態になるため、景品の払出し動作のための特別な空間を要せず、景品払出装置を設置できるスペースのみで済む。
【００１３】
第５の発明は、第２又は第３の発明の景品払出装置であって、
前記傾斜面部及び前記堰き止め部を前記傾斜面の上方で同軸で軸支し、軸方向が前記傾斜面を横断する方向の軸部（例えば、図３の水平軸ＡＸ１）を更に備え、
前記堰き止め状態は、前記軸部を中心に前記堰き止め部を所定の高揚位置に軸回転させて前記係止部に係止させた状態であり、
前記係止部の係止の解除により、前記堰き止め部が下方に軸回転して前記傾斜面部の背後に収まるとともに、前記力伝達部により伝達された力によって前記傾斜面部が前記軸部を中心に軸回転する景品払出装置である。
【００１４】
この第５の発明によれば、傾斜面部及び堰き止め部が、傾斜面の上方で軸方向が傾斜面を横断する方向の軸部により同軸で軸支され、堰き止め状態は、この軸部を中心に堰き止め部を所定の高揚位置に軸回転させて係止部に係止させた状態であり、係止部の係止の解除により、堰き止め部が下方に軸回転して傾斜面部の背後に収まるとともに、力伝達部により伝達された力によって傾斜面部が軸部を中心に軸回転する。つまり、係止が解除されると、堰き止め部は下方に軸回転して傾斜面部の背後に収まるとともに、この軸回転によって傾斜面部が軸回転する。即ち、景品の払出し時には、傾斜面部と堰き止め部とが略一体となった状態になるため、景品の払出し動作のために特別な空間を要せず、景品払出装置を設置できるスペースのみで済む。
【００１５】
第６の発明は、第５の発明の景品払出装置であって、
前記軸部を中心として、前記高揚位置に軸回転された前記堰き止め部を下方へ軸回転するよう付勢するとともに、前記定常状態から軸回転しないよう前記傾斜面部を抑える抑止力を与える弾性部材（例えば、図３、図４のねじりばね１７０）を前記軸部に設けた景品払出装置である。
【００１６】
この第６の発明によれば、傾斜面部及び堰き止め部を同軸で軸支する軸部を中心として、高揚位置に軸回転された堰き止め部を下方へ軸回転するように付勢するとともに、定常状態から軸回転しないよう傾斜面部を抑える抑止力を与える弾性部材が軸部に設けられる。つまり、軸部に設けられた、例えばばねやゴムといった弾性部材により堰き止め部が下方へ軸回転するように付勢されることで、係止が解除された時に、堰き止め部を速やか且つ確実に下方へ軸回転させて傾斜面部の背後に収めることが可能となる。また、傾斜面部が定常状態から軸回転しないように抑えられる抑止力が与えられることで、傾斜面部が傾斜面上に景品が載置された状態を保つとともに、堰き止め部の係止が解除された際の力伝達部により伝達された力による傾斜面部の軸回転を抑制し、速やかに定常状態に復帰させることが可能となる。
【００１７】
第７の発明は、第４〜第６の発明の景品払出装置であって、
前記堰き止め部の軸支位置は、前記堰き止め部の内側面と前記傾斜面部の下流側端面との間の距離が前記係止部の係止の解除による前記堰き止め部の軸回転に従って漸次長くなる位置に位置決めされている景品払出装置である。
【００１８】
この第７の発明によれば、堰き止め部の軸支位置は、堰き止め部の内側面と傾斜面部の下流側端面との間の距離が、係止部の係止の解除による堰き止め部の軸回転に従って漸次長くなる位置に位置決めされている。これにより、係止が解除されて堰き止め部が下方に軸回転する際に、傾斜面部と堰き止め部との間に景品が巻き込まれることを防止し、載置された景品の全てを確実に滑落させて払い出すことが可能となる。
【００１９】
第８の発明は、第４〜第７の何れかの発明の景品払出装置であって、
前記係止部は、
所定の押し上げ力により押し上げられることで前記堰き止め部と係合可能となる係合部材（例えば、図７の凸部１５２ａ）と、
前記押し上げ力を付与する付勢部材（例えば、図７のコイルばね１５３）と、
を有し、前記係合可能となった係合部材が前記堰き止め部と係合することで前記堰き止め部の下方への軸回転を係止し、前記付勢部材の前記押し上げ力に対抗する押し下げ力が付与されることによって前記係止が解除される景品払出装置である。
【００２０】
この第８の発明によれば、係止部は、所定の押し上げ力により押し上げられることで堰き止め部と係合可能となる係合部材と、係合部に押し上げ力を付与する付勢部材とを有し、付勢部材により押し上げられた係合部材が堰き止め部と係合することで堰き止め部の下方への軸回転が係止され、付勢部材の押し上げ力に対抗する押し下げ力が付与されることによって係止が解除される。
【００２１】
第９の発明は、第８の発明の景品払出装置であって、
前記係止部は、前記押し上げ力により押し上げられる係合部材が前記傾斜面部の背後に収まった際に前記堰き止め部の外側面に当接する位置に位置決めされ、前記堰き止め部が前記高揚位置まで軸回転された時に前記係合部材が前記堰き止め部と係合する景品払出装置である。
【００２２】
この第９の発明によれば、係止部は、付勢部材により付与された押し上げ力により押し上げられる係合部材が、傾斜面部の背後に収まった際に堰き止め部の外側面に当接する位置に位置決めされ、堰き止め部が高揚位置まで軸回転された時に係合部材が堰き止め部と係合する。これにより、係止が解除されて景品が払い出された後、堰き止め部を高揚位置まで軸回転させるといった容易な操作で、再度、堰き止め部が堰き止め状態に係止された状態に復帰させることができる。
【００２３】
第１０の発明は、第１〜第９の何れかの発明の景品払出装置であって、
固定テーブルから押し出されて景品落下口に落下した景品を払い出すプッシャー型の遊戯装置（例えば、図１の遊戯装置１）に、滑落した景品が前記固定テーブル又は前記景品落下口に落下するように設置される景品払出装置である。
【００２４】
この第１０の発明によれば、当該景品払出装置は、固定テーブルから押し出されて景品落下口に落下した景品を払い出すプッシャー型の遊戯装置において、滑落した景品が固定テーブル又は景品落下口に落下するように設置される。
【００２５】
第１１の発明は、第１０の発明の景品払出装置であって、
前記係止部は、所定の外力によって前記係止を解除する機構を成し、
紐体によって前記係止部に接続され、前記係止部に前記外力を与える錘部材（例えば、図２の錘部材１６０）を更に備え、
前記固定テーブル上に前記錘部材が載置され、前記固定テーブルからの前記錘部材の落下による重力が前記係止部に伝達されて前記係止部の係止が解除される景品払出装置である。
【００２６】
この第１１の発明によれば、係止部は、所定の外力によって係止が解除される機構であり、紐体によって係止部に接続されて係止部に外力を与える錘部材が固定テーブル上に載置され、固定テーブルからの錘部材の落下による重力が係止部に伝達されて係止部の係止が解除される。即ち、紐体によって係止部に接続された錘部材が固定テーブルから落下すると、この落下による錘部材の重力が係止部に伝達されて係止部の係止が解除されて、景品が払い出される。
【００２７】
第１２の発明は、
固定テーブルから押し出されて景品落下口に落下した景品を払い出すプッシャー型の遊戯装置（例えば、図１の遊戯装置１）であって、
第１〜第１１の何れかの発明の景品払出装置を、滑落した景品が前記固定テーブル上又は前記景品落下口に落下する位置に配設した遊戯装置である。
【００２８】
この第１２の発明によれば、係止部により堰き止め部が堰き止め状態で係止されることで傾斜面部の傾斜面に載置された景品が堰き止められ、この係止部による堰き止め部の係止が解除されると、傾斜面部の傾斜面に載置され、堰き止め部により堰き止められていた景品が滑落して固定テーブル上又は景品落下口に落下するといった新たな景品払出しを実現する景品払出装置を備えた遊戯装置が実現される。
【発明の効果】
【００２９】
本発明によれば、プッシャー型の遊戯装置において、係止部により堰き止め部が堰き止め状態で係止されることで傾斜面部の傾斜面に載置された景品が堰き止められ、この係止部による堰き止め部の係止が解除されると、傾斜面部の傾斜面に載置され、堰き止め部により堰き止められていた景品が滑落して固定テーブル上又は景品落下口に落下するといった新たな景品払出しが実現される。
【００３０】
また、景品の払出し時に、堰き止め部が堰き止め状態から解放時状態へ変位した際の堰き止め部の運動エネルギーが力伝達部により傾斜面部に伝達されて傾斜面部が上下に回動されることで、傾斜面部との間の摩擦等によって傾斜面部から滑落しないで残っていた景品を確実に滑落させて払い出すことが可能となる。
【００３１】
また、堰き止め部の軸支位置は、堰き止め部の内側面と傾斜面部の下流側端面との間の距離が、係止部の係止の解除による堰き止め部の軸回転に従って漸次長くなる位置に位置決めされているため、係止が解除されて堰き止め部が下方に軸回転する際に、傾斜面部と堰き止め部との間に景品が巻き込まれることを防止し、載置された景品の全てを確実に滑落させて払い出すことが可能となる。
【００３２】
また、景品の払出し時には、係止が解除された堰き止め部が下方に軸回転して傾斜面部の背後に収まり、傾斜面部と堰き止め部とが略一体となった状態になるため、景品の払出し動作のための特別な空間を要しない。
【００３３】
更に、係止部は、付勢部材により付与された押し上げ力により押し上げられる係合部材が、傾斜面部の背後に収まった際に堰き止め部の外側面に当接する位置に位置決めされ、堰き止め部が高揚位置まで軸回転された時に係合部材が堰き止め部と係合するため、係止が解除されて景品が払い出された後、堰き止め部を高揚位置まで軸回転させるといった容易な操作で、再度、堰き止め部が堰き止め状態に係止された状態に復帰させることができる。
【発明を実施するための最良の形態】
【００３４】
以下、図面を参照して、本発明の好適な実施形態を説明する。
【００３５】
［遊戯装置の外観］
図１は、本実施形態の遊戯装置１の外観の一例を示す図である。同図によれば、遊戯装置１は、所謂プッシャー型と呼ばれる遊戯装置であり、多数の景品を配置するターンテーブル１０と、ターンテーブル１０上に配置された景品を掬い上げる掬い上げ装置２０と、掬い上げ装置２０の操作スイッチ２１と、掬い上げ装置２０により掬い上げた景品を載置し、押し出して景品落下口４０に落下させるプッシャーテーブル部３０と、所定の条件が達成されたときにボーナス用の景品を払い出す景品払出装置１００と、遊戯装置１の動作を統合的に制御する制御ユニット（図示略）とを備える。また、遊戯装置１の筐体上部は、景品に外部から干渉できないよう、透明なアクリルで形成されたカバー５０で覆われている。
【００３６】
また、遊戯装置１には、平面視略十字にプレーヤがプレイするためのステーションが４つ備えられ、ステーション毎に、掬い上げ装置２０と、操作スイッチ２１と、プッシャーテーブル部３０と、景品払出装置１００と、景品落下口４０に連通して景品を取り出すための景品払出口４１とが備えられている。従って、遊戯装置１では、４人のプレーヤが各ステーションにおいて同時にプレイを楽しむことができる。
【００３７】
ここで、以下の説明における方向を次のように定める。即ち、上下左右方向を図１に向かって上下左右の方向とし、奥行き方向は、各ステーションから遊戯装置１の中心に向かって前後（手前／奥）の方向とする。即ち、各ステーションでプレイするプレーヤの視点に立った上下左右及び前後の方向とする。
【００３８】
ターンテーブル１０は、環状に形成され、上面に多数の景品を載置できるようになっている。そして、ターンテーブル１０は、遊戯装置１の略中心を軸中心として、遊戯装置１内を一定方向にゆっくりと回転する。
【００３９】
プッシャーテーブル部３０は、固定テーブル３１と、スライドテーブル３２とを有する。固定テーブル３１は、ターンテーブル１０の上方において装置中央から外方に向けて延出する平板であり、その前端部は景品落下口４０の上方に達している。スライドテーブル３２は、固定テーブル３１の上面に沿って前後方向に往復スライド移動する平板である。スライドテーブル３２の往復スライド移動により、スライドテーブル３２の前面に押されて固定テーブル３１上に載置されている景品が移動する。固定テーブル３１に載置されている景品の密度が高いと、景品が玉突き状態となって固定テーブル３１の前端部から景品が景品落下口４０に落下し、景品払出口４１から景品が払い出される。一方、固定テーブル３１上に載置されている景品の密度が低いと、固定テーブル３１上の隙間を埋めるように景品が移動することとなる。尚、スライドテーブル３２の駆動方法は公知の技術を適宜使用するものとし、ここでの説明は省略する。
【００４０】
掬い上げ装置２０は、アームと、景品を掬い上げ可能な曲面をなすショベルとを有して構成され、操作スイッチ２１からの操作信号に応じてアームを駆動し、ショベルでターンテーブル１０上の景品を掬い上げ、掬い上げた景品をプッシャーテーブル部３０に落下させるといった一連の掬い上げ動作を、制御ユニットの制御に従って実行する。
【００４１】
［景品払出装置］
景品払出装置１００は、固定テーブル３１上から錘部材１６０が落下すると、予め貯留していた景品を払い出す装置である。図２は、景品払出装置１００の拡大斜視図である。また、図３は、景品払出装置１００の正面図であり、図４は、景品払出装置１００の部分右側面図である。図２〜４に示すように、景品払出装置１００は、１対のメインフレーム１１０と、リアバケット１３０と、フロントバケット１４０と、トリガ１５０と、錘部材１６０とを備えて構成され、リアバケット１３０及びフロントバケット１４０が景品落下口４０の上方近傍に位置するように設置されている。
【００４２】
メインフレーム１１０は、細長い平板部材であり、遊戯装置１の中央上方に向かって延出するように対向させて、下端部が景品落下口４０の内側面それぞれに固定されて設置されている。また、メインフレーム１１０の間には、細長い平板であるステー１２０が水平に掛け渡されて固定されている。そして、ステー１２０の中央部にはトリガ１５０が固定されている。また、メインフレーム１１０の上端部には、リアバケット１３０及びフロントバケット１４０を軸支するための軸孔１１１が形成されている。
【００４３】
図５（ａ）は、リアバケット１３０の上面図であり、同図（ｂ）は、右側面図である。同図に示すように、リアバケット１３０は、上方及び手前側に開口し、底部が手前側に向けて傾斜した傾斜面１３１を有して形成されている。この傾斜面１３１上に払い出し用の景品が載置される。リアバケット１３０の左右側面それぞれには、このリアバケット１３０がメインフレーム１１０に軸支されるための軸孔１３２が形成されている。また、リアバケット１３０の左右側面それぞれの外側面には、外方向に向けて突出した凸部１３３が形成されているとともに、水平外方向に向けて延出した延出部１３４が上端に形成されている。
【００４４】
図６（ａ）は、フロントバケット１４０の上面図であり、同図（ｂ）は、右側面図である。同図に示すように、フロントバケット１４０は、上方及び奥側に開口し、左右の側面間の距離が、リアバケット１３０の左右の側面間の距離より多少長い長さに形成されている。フロントバケット１４０の側面は扇形状を成しており、底部は、この扇形状の円弧の沿った曲面を有して形成されている。また、フロントバケット１４０の左右側面それぞれには、このフロントバケット１４０がメインフレーム１１０に軸支されるための軸孔１４１が形成されている。詳細には、この軸孔１４１は、扇形状の中心から若干後端部寄りの位置、即ちフロントバケット１４０の前側面のうち、つまみ１４３側（上端部側）の端部（以下、「前端部」という）１４５までの距離が、フロントバケット１４０の前側面の下端側の端部（以下、「後端部」という）１４６までの距離より多少（具体的には、数ｍｍ程度）長くなる位置に形成されている。また、フロントバケット１４０の左右の側面それぞれの内側面には、内方向に向けて突出した凸部１４２が形成されているとともに、前端部１４５には、前方向に延出したつまみ１４３が形成されている。
【００４５】
そして、フロントバケット１４０とリアバケット１３０とは、それぞれの開口部を対向させてリアバケット１３０の前端部がフロントバケット１４０の内部に収まった状態で、水平軸ＡＸ１によって同軸でメインフレーム１１０に軸支される。水平軸ＡＸ１は、軸方向がリアバケット１３０の傾斜面１３１を左右に横断する方向の軸であり、メインフレームの軸孔１１１、リアバケット１３０の軸孔１３２及びフロントバケット１４０の軸孔１４１それぞれを貫通している水平軸である。つまり、フロントバケット１４０及びリアバケット１３０は、水平軸ＡＸ１を中心として上下方向に回動自在となっている。また、フロントバケット１４０は、軸孔１４１が側面の扇形状の中心から若干後端部よりの位置に形成されているため、水平軸ＡＸ１により偏芯して軸支されている。
【００４６】
また、この水平軸ＡＸ１を中心とした弾性部材であるねじりばね１７０が、リアバケット１３０の左右側面それぞれの外側とフロントバケット１４０の左右側面それぞれの内側との間に取り付けられている。このねじりばね１７０は、一方の腕部が凸部１３３の上面に当接し、他方の腕部が凸部１４２の前面に当接しており、凸部１３３及び凸部１４２を互いに近づける方向に付勢する。
【００４７】
そして、リアバケット１３０は、ねじりばね１７０に付勢されることで、延出部１３４がメインフレーム１１０の上端面上に掛け置かれた状態（定常状態）に保持される。一方、フロントバケット１４０は、トリガ１５０により、リアバケット１３０に載置された景品の滑落を堰き止めるような位置（高揚位置）に係止されていることで、これら景品を堰き止めている状態（堰き止め状態）に保持される。また、堰き止め状態において、リアバケット１３０及びフロントバケット１４０は、リアバケット１３０の前端部１４５がフロントバケット１４０の内面との間に僅かな隙間を隔てて保持される。詳細には、フロントバケット１４０の水平軸ＡＸ１を中心とした下方向への軸回転を妨げず、且つリアバケット１３０の前端部とフロントバケット１４０の内面との間に景品が挟み込まれない程度の僅かな隙間が形成されるよう、保持される。即ち、堰き止め状態においては、リアバケット１３０とフロントバケット１４０とによって上方に開口した容器形状が形成され、容器形状の内部に景品が貯留されている状態となっている。この状態を「景品保持状態」という。
【００４８】
図７（ａ）は、トリガ１５０の外観斜視図であり、同図（ｂ）は、トリガ１５０の縦断面図である。同図によれば、トリガ１５０は、トリガ受け台１５１と、トリガ部材１５２と、コイルばね１５３とを備えて構成される。
【００４９】
トリガ受け台１５１は、トリガ部材１５２を回動自在に軸支するための部材であり、ステー１２０の中央部上面に固定されている。トリガ受け台１５１の上面には、１対の対向する板状の軸支片１５１ａが設けられ、この軸支片１５１ａには、トリガ部材１５２を軸支するための軸孔１５１ｂが形成されている。
【００５０】
トリガ部材１５２は、略中央部で屈曲した板状部材であり、後端部（奥側端部）のが水平軸ＡＸ２によってトリガ受け台１５１に軸支され、屈曲部の内側を下方に向け長手方向が前後方向に沿った向きで設置される。水平軸ＡＸ２は、軸方向が水平且つ左右方向に沿った水平軸であり、トリガ受け台１５１の軸孔１５１ｂを貫通している。即ち、トリガ部材１５２は、水平軸ＡＸ２を中心として上下方向に回動可能となっている。
【００５１】
トリガ部材１５２の中央部分上面には、上方に向けて突出した凸部１５２ａが形成されている。この凸部１５２ａがフロントバケット１４０の後端部と係合することで、フロントバケット１４０が堰き止め状態に係止される。また、トリガ部材１５２の前端部（手前側端部）には、吊下げ紐１６１を結び付けるための紐孔１５２ｂが形成されている。この紐孔１５２ｂに、他端が固定テーブル３１上に載置される錘部材１６０に結び付けられている吊下げ紐１６１の一端が結び付けられる。吊下げ紐１６１は、錘部材１６０を固定テーブル３１上に載置した状態で多少緩む程度の長さであり、固定テーブル３１から錘部材１６０落下した場合にはこの錘部材１６０がターンテーブル１０上に到達せずに緊張する長さとなっている。
【００５２】
コイルばね１５３は、圧縮ばねであり、トリガ受け台１５１の上面とトリガ部材１５２の下面との間に、軸方向が垂直方向に沿った向きで取り付けられている。コイルばね１５３の一端部はトリガ受け台１５１の上面に固定され、他端部はトリガ部材１５２の下面に固定されている。即ち、コイルばね１５３は、トリガ部材１５２を上方に付勢する。
【００５３】
［景品払出し動作］
図８は、景品払出装置１００の景品払出動作の説明図である。景品保持状態では、同図（ａ）に示すように、錘部材１６０が固定テーブル３１上に載置されているとともに、フロントバケット１４０の後端部がトリガ部材１５２の凸部１５２ａに当接することで、フロントバケット１４０がトリガ１５０により堰き止め状態に係止されている。
【００５４】
次いで、同図（ｂ）に示すように、景品に押される等して錘部材１６０が固定テーブル３１上から落下すると、吊下げ紐１６１が緊張し、錘部材１６０の重量によりトリガ部材１５２の前端部（手前側端部）が下方に引っ張られ、トリガ部材１５２が下方向（矢印ａ方向）に軸回転する。つまり、トリガ部材１５２がコイルばね１５３の付勢方向に反して押し下げられ、凸部１５２ａが下方に移動してフロントバケット１４０から離れることにより、フロントバケット１４０の係止が解除される。すると、フロントバケット１４０が、その自重及びねじりばね１７０の付勢力によって下方向（矢印ｂ方向）へ軸回転を開始する。
【００５５】
係止が解除されたフロントバケット１４０は、同図（ｃ）に示すように、凸部１４２がリアバケット１３０の凸部１３３に当接し、リアバケット１３０の背後に収まる位置まで軸回転する。即ち、フロントバケット１４０により塞がれていたリアバケット１３０の前側の開口部が開口され、これにより、傾斜面１３１に載置されてフロントバケット１４０に堰き止められていた景品が傾斜面１３１を滑り落ち、下方の固定テーブル３１上或いは景品落下口４０に向かって落下する。
【００５６】
そして、最終的には、ねじりばね１７０の付勢力によって凸部１３３と凸部１４２とが当接し、フロントバケット１４０がリアバケット１３０の背後に収まった状態で安定する。即ち、リアバケット１３０とフロントバケット１４０が一体化したかのような状態となっている。この状態を「景品払出状態」という。このように、景品払出し時には、フロントバケット１４０がリアバケット１３０の背後に収まって一体化するため、景品の払出し動作のためのスペースを特に要しない。
【００５７】
このとき、フロントバケット１４０が下方向へ軸回転すると、凸部１４２がリアバケット１３０の凸部１３３に下方から衝突する。すると、フロントバケット１４０の軸回転による運動エネルギーが、力伝達部である凸部１３３を介してリアバケット１３０に伝達され、リアバケット１３０が上方向に軸回転する。但し、リアバケット１３０は、ねじりばね１７０によって下方向に回動するように付勢されているため、延出部１３４がメインフレーム１１０の上端部に掛け置かれた定常状態に復帰しようとする。即ち、リアバケット１３０は、単発的に上下方向に振動する。
【００５８】
そして、このリアバケット１３０の振動により、載置されている景品の落下が促進される。即ち、例えば薄い板状の景品の場合、景品払出状態となっても、傾斜面１３１との間の摩擦によって落下せずに傾斜面１３１上に残ったままのことがある。しかし、リアバケット１３０に振動（特に、上方向への跳ね上げ力）を与えることで、景品の全てを確実に落下させることが可能となる。
【００５９】
またこのとき、フロントバケット１４０の軸孔１４１から前端部１４５までの距離が後端部１４６までの距離より長いため、フロントバケット１４０の下方向へ軸回転するにつれて、リアバケット１３０の前面下端部とフロントバケット１４０の内面との間の距離が徐々に長くなる。即ち、景品保持状態では、リアバケット１３０の前端部とフロントバケット１４０の内面とがほぼ当接している、即ち隙間が殆ど無い状態であるが（図８（ａ））、フロントバケット１４０が下方向に軸回転するにつれてこの隙間が徐々に広がり（図８（ａ）→（ｂ）→（ｃ）、景品払出状態では、多少の隙間（具体的には、軸孔１４１から前端部までの距離と後端部までの距離の差に等しい数ｍｍ程度）が形成される（図８（ｃ））。
【００６０】
そして、この隙間により、リアバケット１３０の傾斜面１３１に載置されている景品が、確実に落下される。即ち、リアバケット１３０の前面下端部とフロントバケット１４０の内面との隙間が変化しない場合、景品保持状態において、例えば飴の小袋といった袋形状の景品の袋の端がリアバケット１３０の前面下端部とフロントバケット１４０の内面との僅かな隙間に挟まることがある。この挟まった状態でフロントバケット１４０が下方向に回動すると、この袋の端がその隙間に引き込まれ、景品払出状態となっても挟まったままで落下しないことがある。しかし、フロントバケット１４０の下方向への回動に伴ってリアバケット１３０の前面下端部とフロントバケット１４０の内面との間の隙間が徐々に広がることで、この隙間に景品が引き込まれることが防止され、リアバケット１３０に載置された景品の全てを確実に落下させることが可能となる。
【００６１】
［復帰動作］
図９は、景品払出装置１００の景品払出状態から景品保持状態への復帰動作の説明図である。先ず、同図（ａ）に示すように、錘部材１６０を固定テーブル３１上に載置する。すると、吊下げ紐１６１の緊張が解かれてコイルばね１５３の付勢力によってトリガ部材１５２が上方に押し上げられ、凸部１５２ａの上面がフロントバケット１４０の底面に当接した状態となる。次いで、同図（ｂ）に示すように、つまみ１４３に指を掛け、ねじりばね１７０の付勢力に逆らうようにリアバケット１３０を上方に持ち上げる。そして、同図（ｃ）に示すように、フロントバケット１４０の後端部がトリガ部材１５２の凸部１５２ａの前方に位置するまでフロントバケット１４０を持ち上げた後、つまみ１４３から指を離す。すると、トリガ部材１５２が、コイルばね１５３の付勢力によって更に上方に押し上げられ、フロントバケット１４０の後端部が凸部１５２ａに当接してフロントバケット１４０が係止され、再度、景品保持状態に復帰する。
【００６２】
［作用・効果］
このように、本実施形態によれば、遊戯装置１に設置される景品払出装置１００は、リアバケット１３０とフロントバケット１４０とが水平軸ＡＸ１によって同軸で軸支されているとともに、リアバケット１３０に載置されている景品の滑落を堰き止めるよう、フロントバケット１４０がトリガ１５０により係止されて構成されている。トリガ１５０には、他端が固定テーブル３１上の錘部材１６０に結び付けられている吊下げ紐１６１の一端が結び付けられている。そして、固定テーブル３１上から錘部材１６０が落下すると、錘部材１６０の自重によりトリガ１５０による係止が解除されて、フロントバケット１４０が水平軸ＡＸ１を中心として下方に軸回転し、リアバケット１３０の傾斜面１３１上に載置され、フロントバケット１４０により堰き止められていた景品が滑落して払い出される。
【００６３】
このとき、フロントバケット１４０は、ねじりばね１７０の付勢力によって凸部１４２がリアバケット１３０の凸部１３３に当接するまで軸回転し、最終的には、凸部１３３と凸部１４２とが当接し、フロントバケット１４０がリアバケット１３０の背後に収まった状態、即ちリアバケット１３０とフロントバケット１４０が一体化したかのような状態に落ち着く。つまり、景品の払出し動作のためのスペースを要しない。
【００６４】
また、フロントバケット１４０が下方に軸回転する際に、凸部１４２がリアバケット１３０の凸部１３３に下方から衝突し、この衝突力によってリアバケット１３０が水平軸ＡＸ１を中心として上方向に軸回転するが、ねじりばね１７０の付勢力により、リアバケット１３０が、単発的に上下に振動する。このリアバケット１３０の振動により、リアバケット１３０に載置されている景品を確実に滑落させて払い出すことが可能となる。
【００６５】
また、フロントバケット１４０の下方への軸回転に伴い、リアバケット１３０の前面下端部とフロントバケット１４０の内面との間の距離が徐々に長くなる。即ち、景品保持状態ではほぼ当接していたリアバケット１３０の前端部とフロントバケット１４０の内面との間の隙間が、フロントバケット１４０の軸回転に伴って徐々に大きくなる。これにより、フロントバケット１４０の軸回転に伴って、例えば袋形状の景品の端がその隙間に巻き込まれるといったことが防止され、リアバケット１３０に載置されている景品を確実に滑落させて払い出すことが可能となる。
【００６６】
更に、景品を払出した後は、錘部材１６０を固定テーブル３１上に載置し、次いで、フロントバケット１４０を上方に持ち上げるといった容易な手順で、フロントバケット１４０がトリガ１５０により係止された状態、即ち景品保持状態に復帰させることができる。
【００６７】
［変形例］
尚、本発明の適用可能な実施形態は、上述の実施形態に限定されることなく、本発明の趣旨を逸脱しない範囲で適宜変更可能なのは勿論である。
【００６８】
（Ａ）リアバケット１３０の可動を制限
例えば、リアバケット１３０の上方への軸回転の回転量を制限するようにしても良い。具体的には、図１０（ａ）に示すように、メインフレーム１１０の上端部に、リアバケット１３０の延出部１３４を貫通可能な開口部１１２を設ける。そして、この開口部１１２にリアバケット１３０の延出部１３４を貫通させて、リアバケット１３０をメインフレーム１１０に軸支させる。このとき、リアバケット１３０は、ねじりばね１７０の付勢力により、延出部１３４が開口部１１２に掛け置かれた状態に保たれる。
【００６９】
そして、同図（ｂ）に示すように、フロントバケット１４０が下方に軸回転し、凸部１４２がリアバケット１３０の凸部１３３に衝突することでリアバケット１３０が上方向へ軸回転するが、このとき、リアバケット１３０の軸回転の範囲は、延出部１３４の下面が開口部１１２の下端に当接する位置から、延出部１３４の上面が開口部１１２の上端に当接する位置までの範囲に規制される。
【００７０】
（Ｂ）係止部
また、上述の実施形態では、フロントバケット１４０の後端部を係止部であるトリガ１５０の凸部１５２ａに当接させることでフロントバケット１４０を係止することにしたが、これを、図１１に示すように、フロントバケット１４０の底部に当接させることで係止することにしても良い。即ち、同図によれば、フロントバケット１４０の底部外側に凹部１４５が形成されている。この凹部１４５にトリガ１５０のトリガ部材１５２の凸部１５２ｃが収まることで、フロントバケット１４０が係止される。そして、錘部材１６０が固定テーブル３１上から落下すると、吊下げ紐１６１を介して伝わる錘部材１６０の重力によりトリガ部材１５２が下方に軸回転することで、凹部１４５から凸部１５２ｃが外れて係止が解除され、フロントバケット１４０が下方向に軸回転し、リアバケット１３０の傾斜面１３１に載置されていた景品が滑落して払い出される。
【００７１】
（Ｃ）衝突
また、図１２に示すように、リアバケット１３０の後面側（背面側）の外側面に凸部１３６を設けることにしても良い。この場合、係止が解除されて下方向に軸回転したフロントバケット１４０の後端部が、リアバケット１３０の凸部１３６に衝突することで、リアバケット１３０が上方向に軸回転して振動する。
【００７２】
（Ｄ）弾性部材
また、ねじりばね１７０を、例えばゴムといった他の弾性部材としても良い。
【００７３】
（Ｅ）傾斜面部及び堰き止め部
また、上述の実施形態では、傾斜面部であるリアバケット１３０、及び堰き止め部であるフロントバケット１４０を同軸で軸支し、フロントバケット１４０の係止が解除されると、フロントバケット１４０が軸回転しリアバケット１３０の背後に収まるように構成したが、これを、例えば図１３のように構成しても良い。
【００７４】
図１３は、他の構成例である景品払出装置２００の斜視図である。また、図１４（ａ）は、景品払出装置２００の縦断面図であり、同図（ｂ）は、景品払出装置２００の動作説明図である。図１３，図１４によれば、景品払出装置２００は、メインフレーム１１０と、傾斜面部２３０と、堰き止め部２４０と、係止部である支持部材２５０と、錘部材１６０とを備えて構成される。
【００７５】
傾斜面部２３０は、平板部材である底部２３１と、底部２３１に左右それぞれの端部に垂直に設けられた平板部材である側面部２３２とを有して構成される。傾斜面部２３０は、水平軸ＡＸ３によってメインフレーム１１０に回動自在に軸支されているとともに、１対のメインフレーム１１０の間に上面（表面）を手前に傾斜させて固定された細長い平板であるステー２２０によって下面（裏面）から支持されている。即ち、傾斜面部２３０は、底部２３１が前側（手前側）に傾斜した傾斜面を有しており、この傾斜面上に景品が載置される。
【００７６】
水平軸ＡＸ３には、この水平軸ＡＸ３を中心としたねじりばね２６０が、一方の腕部がステー２２０の下端部に当接し、他方の腕部がステー２２０の下面（裏面）に当接するように取り付けられている。このねじりばね２６０は、傾斜面部２３０をその上端部がステー２２０に近づく方向に付勢する。即ち、傾斜面部２３０は、ねじりばね２６０の付勢力によって、下面がステー２２０の上面に当接した状態に保たれている。
【００７７】
また、傾斜面部２３０の下端部には、長手方向が左右水平方向に沿った長孔である貫通孔２３１ａが形成されているとともに、貫通孔２３１ａの下側には、貫通孔２３１ａに沿った凹部２３１ｂが形成されている。更に、傾斜面部２３０の下端部の下面には、支持部材２５０が設けられている。支持部材２５０は板状部材であり、下端部の位置で、水平軸ＡＸ４によって回動自在に傾斜面部２３０の下端部の下面に軸支されている。また、支持部材２５０の上端には、吊下げ紐１６１の一端が取り付けられている。この吊下げ紐１６１の他端には、固定テーブル３１上に載置された錘部材１６０に結び付けられている。
【００７８】
水平軸ＡＸ４には、この水平軸ＡＸ４を中心としたねじりばね２７０が、一方の腕部が傾斜面部２３０の下端部に取り付けられ、他方の腕部が支持部材２５０の下面に取り付けられている。このねじりばね２７０は、傾斜面部２３０と支持部材２５０とを互いに近づける方向に付勢する。即ち、支持部材２５０は、ねじりばね２７０の付勢力によって、上面が傾斜面部２３０の下面に当接した状態に保たれている。
【００７９】
堰き止め部２４０は平板部材であり、上端部に手前側に向けて延出した延出部２４１が形成されている。そして、堰き止め部２４０は、延出部２４１を手前側に向けて、下端部が傾斜面部２３０の貫通孔２３１ａに差し込まれ、支持部材２５０によって下方から支持されている。つまり、支持部材２５０によって、堰き止め部２４０が、傾斜面部２３０の傾斜面上に載置された景品を堰き止めている堰き止め状態に係止されている。即ち、傾斜面部２３０と堰き止め部２４０とによって断面視Ｖ字形状の容器形状が形成され、この容器形状の内部に景品が貯留されている。
【００８０】
そして、固定テーブル３１上から錘部材１６０が落下すると、同図（ｂ）に示すように、錘部材１６０の重量によって支持部材２５０の上端部が下方に引っ張られ、支持部材２５０が下方向（矢印ｃ方向）に軸回転する。すると、支持部材２５０による堰き止め部２４０の係止が解除され、堰き止め部２４０が、その自重によって奥側斜め下方に向かって落下する。係止が解除された堰き止め部２４０は、延出部２４１が傾斜面部２３０の凹部２３１ｂに当接する位置まで落下する。そして、延出部２４１が凹部２３１ｂに収まって傾斜面部２３０の底部２３１の上面がほぼ平坦になると、傾斜面部２３０の傾斜面上に載置されていた景品が傾斜面を滑り落ち、下方の固定テーブル３１上或いは景品落下口４０に向かって落下する。
【００８１】
またこのとき、堰き止め部２４０が下方に落下し、延出部２４１が傾斜面部２３０の凹部２３１ｂに上方から衝突すると、この衝突力により、傾斜面部２３０が、その下端部が下方に向かう向き（矢印ｄ方向）に軸回転する。但し、傾斜面部２３０は、ねじりばね２６０によって、上端部が下方、即ち下端部が上方に向かう向きに軸回転するように付勢されている。このため、傾斜面部２３０が単発的に振動し、これにより、傾斜面部２３０の傾斜面に載置されている景品の落下が促進される。
【００８２】
尚、堰き止め部２４０の落下方向を、斜め下方向とするのではなく、鉛直下方向にするよう、その配置・形状を変更しても良い。また、ねじりばね２６０，２７０は、例えばゴムといった他の弾性体に変更しても良い。
【図面の簡単な説明】
【００８３】
【図１】遊戯装置の外観例。
【図２】景品払出装置の拡大斜視図。
【図３】景品払出装置の正面図。
【図４】景品払出装置の側面図。
【図５】リアバケットの（ａ）上面図、（ｂ）側面図。
【図６】フロントバケットの（ａ）上面図、（ｂ）側面図。
【図７】トリガの（ａ）拡大斜視図、（ｂ）断面図。
【図８】景品払出装置の景品払出し動作図。
【図９】景品払出装置の復帰動作図。
【図１０】メインフレームの変形例。
【図１１】係止部の変形例。
【図１２】リアバケットを振動させる機構の変形例。
【図１３】景品払出装置の変形例。
【図１４】図１３の景品払出装置の（ａ）断面図、（ｂ）景品払出し動作図。
【符号の説明】
【００８４】
１  遊戯装置
１０  ターンテーブル
２０  掬い上げ装置
３０  プッシャーテーブル部
３１  固定テーブル
３２  スライドテーブル
４０  景品落下口
１００  景品払出装置
１１０  メインフレーム
１１１  軸孔
１２０  ステー
１３０  リアバケット（傾斜面部）
１３１  傾斜面
１３２  軸孔
１３３  凸部（力伝達部）
１３４  延出部
１４０  フロントバケット（堰き止め部）
１４１  軸孔
１４２  凸部
１４３  つまみ
１５０  トリガ（係止部）
１５１  トリガ受け台
１５２    トリガ部材
１５２ａ  凸部（係合部材）
１５３  コイルばね（付勢部材）
１６０  錘部材
１７０  ねじりばね
【図１】
2008093242.tif 000003
【図２】
2008093242.tif 000004
【図３】
2008093242.tif 000005
【図４】
2008093242.tif 000006
【図５】
2008093242.tif 000007
【図６】
2008093242.tif 000008
【図７】
2008093242.tif 000009
【図８】
2008093242.tif 000010
【図９】
2008093242.tif 000011
【図１０】
2008093242.tif 000012
【図１１】
2008093242.tif 000013
【図１２】
2008093242.tif 000014
【図１３】
2008093242.tif 000015
【図１４】
2008093242.tif 000016